(57)【特許請求の範囲】
【請求項１】
燃焼ファンから供給される空気を利用して燃料供給系を介して供給される燃料を燃焼するバーナ装置を備えた燃焼装置において、前記バーナ装置は複数の燃焼管が隣接配列されて成るバーナユニットが２つ以上燃焼管の配列方向に互いに隣り合わせに配置された構成と成しており、バーナ装置は、前記各バーナユニット毎に、各バーナユニットの全燃焼管が一次空気のみによって燃焼する全一次式燃焼モードと；各バーナユニットの全燃焼管のうち間欠位置の燃焼管への燃料供給が遮断されてバーナユニットの燃焼面に燃料供給により燃焼する燃焼管の燃焼ゾーンと燃料が遮断されて燃焼管から二次空気が噴出する非燃焼ゾーンとが交互に形成される間欠燃焼モードと；を切替える燃焼モード切替機構が備えられ、各バーナユニットの燃焼管配列方向の両端部の燃焼面は間欠燃焼モードでの燃焼時には燃焼ゾーンとなる構成と成していることを特徴とする燃焼装置。
【請求項２】
燃焼装置の要求燃焼能力の大きさに応じて間欠燃焼モードと全一次式燃焼モードの燃焼モードの組み合わせを燃焼モード切替機構の動作を制御して切替える燃焼モード切替制御手段が設けられている請求項１記載の燃焼装置。
【請求項３】
燃焼モードが全一次式燃焼モードから間欠燃焼モードへ切替えられるときに間欠の燃焼ゾーンを形成する燃焼管の一次空気の空気比率を減少方向へ切替え、燃焼モードが間欠燃焼モードから全一次式燃焼モードへ切替えられるときに減少方向へ切替えられていた一次空気の空気比率を切替え前の元の空気比率に戻す空気比率切替え手段が設けられている請求項１又は請求項２記載の燃焼装置。
【請求項４】
バーナ装置の燃焼面は１つ又は２つ以上のバーナユニットを単位として燃焼面が切替えられる構成と成していることを特徴とする請求項１又は請求項２又は請求項３記載の燃焼装置。
【請求項５】
間欠燃焼モードは、ブンゼンタイプの燃焼形態で燃焼する構成と成していることを特徴とする請求項１乃至請求項４の何れか１つに記載の燃焼装置。
【発明の詳細な説明】
【０００１】
【発明の属する技術分野】
本発明は給湯器等の燃焼装置に関し、特に、全一次式燃焼モードとブンゼンタイプ燃焼方式の間欠燃焼モードとの切替機構を備えた燃焼装置に関するものである。
【０００２】
【従来の技術】
図１０には燃焼装置として一般的な給湯器の模式構成が示されている。同図において、燃焼室１内にはバーナ装置２が配置され、このバーナ装置２に燃料供給系としての燃料ガス供給通路３が接続されている。燃料ガス供給通路３には通路の開閉を行う電磁弁４と開弁量によってガス供給量を制御する比例弁５とが介設されている。バーナ装置２の下方側には該バーナ装置２の燃焼の給排気を行う燃焼ファン６が設けられている。なお、図中、７は燃焼ファン６の回転数（回転速度）を検出するファン回転数検出センサである。
【０００３】
前記バーナ装置２の上方側には熱交換器８が配置されており、この熱交換器８の入側に給水通路９が、出側に給湯通路１０がそれぞれ接続されている。給水通路９側の通路には流量センサ１４と入水温度センサ１５が設けられ、また、給湯通路１０側の通路には給湯温度センサ１１が設けられている。なお、図中、１２は制御装置であり、１３は制御装置１２に信号接続されたリモコンである。
【０００４】
この種の給湯器の運転は制御装置１２により制御される。すなわち、リモコン１３に給湯設定温度が設定されている状態で給湯通路１０の先方の水栓（図示せず）を開けると、給水通路９から給水が熱交換器８に入り込む。流量センサ１４により作動流量以上の流量が検出されると、燃焼ファン６を回転し、電磁弁４および比例弁５を開いてガスをバーナ装置２に供給し、点火手段（図示せず）を動作してバーナ装置２のバーナに点火してバーナ燃焼を行う。
【０００５】
そして、制御装置１２は給湯温度センサ１１で検出される給湯温度がリモコン１３に設定されている給湯設定温度となるように要求熱量を演算によって求め（この要求熱量の演算手法は周知であるので、その説明は省略する）、その要求熱量が得られるように比例弁５の開弁量を制御（ガス供給量を制御）して熱交換器８を通る水を加熱し、給湯設定温度の湯を給湯通路１０を介して所望の給湯場所へ導出する。その一方で、制御装置１２はファン回転数検出センサ７の検出信号を受けて、給気風量がガス供給量にマッチングした設定空燃比の空気比率となるように燃焼ファン６の回転を制御する。
【０００６】
ところで、最近の給湯環境の充実化に伴い家庭用においても大能力の給湯器が使用されるようになっており、また、環境汚染防止の観点から給湯器のクリーン燃焼が要求され、大能力給湯器のバーナ装置として、低ＮＯｘ性の全一次燃焼式のバーナ装置が採用されつつある。大能力の家庭用給湯器のバーナ装置としては、最小燃焼能力４５００ｋcal／ｈｒ〜最大燃焼能力４５０００ｋcal／ｈｒの大きなＴＤＲ（ターンダウン比）１／１０のものが主流になっている。ＴＤＲとは最大燃焼能力に対して最小燃焼能力が何分の一まで絞れるかの比率を示すもので、分母の数が大きいほどＴＤＲは大であると言っている。
【０００７】
しかし、全一次燃焼式のバーナ装置はＴＤＲが１／２〜１／３までしか燃焼量が確保できないという事情がある。つまり、大きなＴＤＲでもって燃焼させると、小燃焼能力の領域において、バーナ燃焼面が赤熱し、さらに赤熱化が進むと逆火現象を引き起こすという問題が生じ、そのため全一次燃焼式のバーナ装置ではＴＤＲが１／２〜１／３までしか絞れないという事情があり、そのため、大能力範囲を全一次燃焼式のバーナ装置で燃焼させる場合には燃焼面を分割して多段の能力段に形成し、燃焼能力に応じて燃焼段（燃焼面）を切替える方式が採用されている。
【０００８】
図８は燃焼段切替方式の全一次燃焼式のバーナ装置を模式的に示す。この全一次燃焼式のバーナ装置は燃焼面がＡ面とＢ面とＣ面の３段に区分されており、ノズルヘッダー１６の内部がＡ、Ｂ、Ｃの３室に区分され、各室に別個のガス分岐通路１７Ａ、１７Ｂ、１７Ｃが接続されている。このガス分岐通路１７Ａ、１７Ｂ、１７Ｃは図１０に示す燃料ガス供給通路３の先端側を分岐することにより形成され、各ガス分岐通路１７Ａ、１７Ｂ、１７Ｃには通路開閉の電磁弁（図示せず）が設けられている。
【０００９】
前記ノズルヘッダー１６の上面には複数のガスノズル１８が配列配置されており、各ガスノズル１８の上側には燃焼管（バーナとも言う）２０が対向配置されている。各燃焼管２０は隙間無く隣合わせに配列配置されており、前記ノズルヘッダー１６のＡ区分のガスノズル１８に対向する燃焼管２０の列はＡ面の燃焼面を形成し、同様に、Ｂ区分のガスノズル１８に対向する燃焼管２０の列はＢ面、Ｃ区分のガスノズル１８に対向する燃焼管２０の列はＣ面の燃焼面を形成している。なお、図中では、（ａ）は全面燃焼状態、（ｂ）は（Ａ＋Ｂ）面の切替燃焼状態を示している。
【００１０】
前記ガスノズル１８から噴出される燃料ガスと燃焼ファン６から供給される空気は燃焼管２０のガス導入口２１から燃焼管２０の内部に取り込まれ、燃焼管２０の内部で攪拌混合した燃料ガスと空気との混合ガスは出口の炎口２２から燃焼室に噴出し、火炎２３を形成する構成となっている。この全一次式バーナ装置は燃焼管２０に取り込まれた一次空気のみを利用して燃焼するものであり、燃焼管２０に取り込まれる空気量は理論空気量の１．２〜１．４倍の空気率（空気比率）となるように設定されている。
【００１１】
この燃焼段切替えタイプ（燃焼面切替えタイプ）の全一次式バーナ装置２を使用した燃焼装置の制御装置１２には図９に示すような燃焼段切替えのデータが与えられている。すなわち、４５００kcal／ｈｒ〜４５０００kcal／ｈｒの全燃焼範囲が４５００kcal／ｈｒ〜１５０００kcal／ｈｒ（ＴＤＲが約１／３）のＡ面燃焼範囲（区間）と、１３０００kcal／ｈｒ〜２６０００kcal／ｈｒ（ＴＤＲが１／２）の（Ａ＋Ｂ）面燃焼範囲と、２２５００kcal／ｈｒ〜４５０００kcal／ｈｒ（ＴＤＲが１／２）の全面（Ａ＋Ｂ＋Ｃの全面）燃焼範囲とに区分されており、制御装置１２の燃焼制御部は要求熱量（要求能力）が燃焼段の能力を上側に超えるときに１段上の燃焼面に切替え、要求熱量（要求能力）が燃焼段の能力を下側に超えるときに１段下の燃焼面に燃焼段を切替え制御する。
【００１２】
このように、燃焼面を切替え制御することにより、全燃焼範囲を全一次式燃焼に適したＴＤＲで燃焼運転できるので、小さい能力範囲の燃焼において、燃焼面の赤熱や逆火の問題がなくなり、低ＮＯｘのクリーン燃焼が達成できるというものである。
【００１３】
【発明が解決しようとする課題】
しかしながら、現在主流となっている家庭用大能力給湯器の４５００ｋcal／ｈｒ〜４５０００ｋcal／ｈｒの燃焼熱量範囲を全一次式のＴＤＲでもって燃焼させるには、燃焼能力段を３段以上に区分しなければならず、必然的に燃焼面の能力段の区分数が多くなり、それに伴いガス分岐通路１７Ａ、１７Ｂ、１７Ｃ等の数およびガス通路切替え用の電磁弁の数も増え、装置が大型化するとともに装置構成が複雑となって、装置コストも高くなるという問題が生じる。
【００１４】
また、全一次式の燃焼においては、低能力側の燃焼空気の制御範囲（良好に燃焼させるための燃焼空気の制御幅）が狭いため、厳密な高精度の燃焼ファン６の風量制御を行わなければならず、燃焼ファン６の制御回路が複雑化し、回路コストが高くなるという問題がある。また、このように、低能力側の燃焼空気の制御範囲が狭いために、給湯器の長期使用中に経時変化により排気閉塞が進行すると、ファン風量が最適範囲からずれて燃焼が悪化するという問題もあった。
【００１５】
本発明は上記課題を解決するためになされたものであり、その目的は、大きな能力範囲の燃焼においても、燃焼能力段の数を少なくして装置構成の簡易化、装置コストの低減化が可能であり、低能力燃焼においても厳密な高精度のファン風量制御を要することなく良好な燃焼を維持できるクリーン燃焼が可能な燃焼装置を提供することにある。
【００１６】
【課題を解決するための手段】
本発明は上記目的を達成するために次のような構成をもって課題を解決する手段としている。すなわち、第１の発明は、燃焼ファンから供給される空気を利用して燃料供給系を介して供給される燃料を燃焼するバーナ装置を備えた燃焼装置において、前記バーナ装置は複数の燃焼管が隣接配列されて成るバーナユニットが２つ以上燃焼管の配列方向に互いに隣り合わせに配置された構成と成しており、バーナ装置は、前記各バーナユニット毎に、各バーナユニットの全燃焼管が一次空気のみによって燃焼する全一次式燃焼モードと；各バーナユニットの全燃焼管のうち間欠位置の燃焼管への燃料供給が遮断されてバーナユニットの燃焼面に燃料供給により燃焼する燃焼管の燃焼ゾーンと燃料が遮断されて燃焼管から二次空気が噴出する非燃焼ゾーンとが交互に形成される間欠燃焼モードと；を切替える燃焼モード切替機構が備えられ、各バーナユニットの燃焼管配列方向の両端部の燃焼面は間欠燃焼モードでの燃焼時には燃焼ゾーンとなる構成と成している構成をもって課題を解決する手段としている。
【００１７】
また、第２の発明は、前記第１の発明の構成を備えたものにおいて、燃焼装置の要求燃焼能力の大きさに応じて間欠燃焼モードと全一次式燃焼モードの燃焼モードの組み合わせを燃焼モード切替機構の動作を制御して切替える燃焼モード切替制御手段が設けられている構成をもって課題を解決する手段としている。
【００１８】
さらに、第３の発明は、前記第１又は第２の発明の構成を備えたものにおいて、燃焼モードが全一次式燃焼モードから間欠燃焼モードへ切替えられるときに間欠の燃焼ゾーンを形成する燃焼管の一次空気の空気比率を減少方向へ切替え、燃焼モードが間欠燃焼モードから全一次式燃焼モードへ切替えられるときに減少方向へ切替えられていた一次空気の空気比率を切替え前の元の空気比率に戻す空気比率切替え手段が設けられている構成をもって課題を解決する手段としている。
【００１９】
さらに、第４の発明は、前記第１又は第２又は第３の発明の構成を備えたものにおいて、バーナ装置の燃焼面は１つ又は２つ以上のバーナユニットを単位として燃焼面が切替えられる構成と成していることをもって課題を解決する手段としている。さらにまた、第５の発明は、前記第１乃至第４の発明の何れか一つの発明の構成を備え、間欠燃焼モードは、ブンゼンタイプの燃焼形態で燃焼する構成と成していることをもって課題を解決するための手段としている。
【００２０】
上記構成の本発明において、燃焼熱量範囲（燃焼能力範囲）の高能力側の燃焼では全一次式の燃焼でもってバーナユニットの全面燃焼を行う。要求熱量が低能力側に移ったときには間欠燃焼モードの燃焼に移行し、燃焼ゾーンに位置する燃焼管の炎口から噴出する燃料と一次空気との混合ガスはその隣側の燃料供給が遮断された燃焼管から噴出する空気を二次空気として利用してブンゼンタイプの燃焼方式でもって燃焼する。
【００２１】
本発明においては、高能力側の燃焼では全一次式の燃焼によって低ＮＯｘのクリーン燃焼が達成され、高能力側では燃焼空気の適正制御範囲が広目であるので、全一次式の燃焼であっても厳密な高精度の風量制御を要することなく良好な燃焼状態を維持できる。燃焼能力が低能力側に移ったときには間欠モードの燃焼に切替わるが、この間欠モードの燃焼はブンゼンタイプの燃焼方式となり、燃焼空気の適正制御範囲が広いので、厳密な高精度の風量制御を要することなく良好な燃焼状態を維持でき、燃焼能力が低能力であるので、窒素酸化物ＮＯｘの発生も少なく、低能力から高能力にわたり全体的に見てクリーンな燃焼が達成できるものである。
【００２２】
【発明の実施の形態】
以下、本発明の実施形態例を図面に基づき説明する。なお、以下の説明において、従来例と共通の構成部分には同一符号を付してその重複説明は省略又は簡略化する。
【００２３】
本実施形態例の燃焼装置は前記図１０に示した給湯器の模式構成と同様であり、本実施形態例において特徴的なことは、バーナ装置２を特有な構成としたことである。本実施形態例におけるバーナ装置２は、後述する特徴的なバーナユニットを複数有するものであるが、ここではまず、その複数のバーナユニットを持つバーナ装置２の構成を説明する前に、上記特徴的なバーナユニットが１つだけ設けられているバーナ装置２の構成例を説明する。図１には、そのバーナユニットが１つだけ設けられているバーナ装置２の構成例が模式的に示されている。
【００２４】
図１において、ノズルヘッダー１６の上面にはガスノズル１８Ａと１８Ｂが交互に配列配置され、ノズルヘッダー１６の内部はガスノズル１８Ａ群に通じる室２４Ａとガスノズル１８Ｂ群に通じる室２４Ｂに区分されており、室２４Ａにはガス分岐通路２７Ａが接続され、室２４Ｂにはガス分岐通路２７Ｂが接続されている。このガス分岐通路２７Ａ、２７Ｂは前記図１０に示されている燃料ガス供給通路３の先方側を分岐することによって形成されている。なお、ガス分岐通路２７Ａ、２７Ｂにはそれぞれ通路の開閉を行う電磁弁（図示せず）が介設されている。
【００２５】
ノズルヘッダー１６の上側にはガスノズル１８Ａ、１８Ｂに対向させて燃焼管２０Ａ、２０Ｂが配置されている。燃焼管２０Ａと２０Ｂはバーナケース内で互いに隣り合わせに隙間無く配列されてバーナユニットを構成しており、燃焼管２０Ａはガスノズル１８Ａから噴出する燃料ガスと燃焼ファン６から供給される燃焼空気をガス導入口２１から取り入れ、内部で攪拌混合して燃料ガスと燃焼空気（一次空気）との混合ガスを炎口２２から噴出して火炎２３を形成する。同様に、燃焼管２０Ｂはガスノズル１８Ｂから噴出する燃料ガスと燃焼ファン６から供給される燃焼空気をガス導入口２１から取り入れ、内部で攪拌混合して燃料ガスと燃焼空気（一次空気）との混合ガスを炎口２２から噴出して火炎２３を形成する。図１において、ガス分岐通路２７Ａからガスノズル１８Ａを介して燃焼管２０Ａに至る通路構成と、ガス分岐通路２７Ｂからガスノズル１８Ｂを介して燃焼管２０Ｂに至る通路構成と、各ガス分岐通路２７Ａ、２７Ｂに介設されている電磁弁は燃焼モード切替機構を構成する。
【００２６】
図２は図１に示されているバーナ装置２における燃焼モード切替えの制御構成を示す。この制御構成は制御装置１２に設けられ、燃焼モード切替制御手段２５と、空気比率切替手段２６と、ファン制御部２８と、メモリ２９とを有して構成されている。燃焼モード切替制御手段２５には図３に示すような燃焼モードの切替えデータが与えられている。図３の例では、全燃焼熱量範囲が４５００kcal／ｈｒ〜４５０００kcal／ｈｒで与えられており、この燃焼熱量範囲のうち、低能力側の４５００kcal／ｈｒ〜２７０００kcal／ｈｒ（ＴＤＲが１／６）の範囲が間欠燃焼モードの範囲として区分され、高能力側の２２５００kcal／ｈｒ〜４５０００kcal／ｈｒ（ＴＤＲが１／２）の範囲が全一次式燃焼モードの範囲として区分されている。
【００２７】
燃焼モード切替制御手段２５は制御装置１２の燃焼制御部で演算される要求燃焼能力（要求燃焼熱量）の情報を受け、要求燃焼能力が間欠燃焼モードの範囲を上回るときには燃焼モード切替機構を全一次式燃焼モード側に切替える。具体的には、ガス分岐通路２７Ａと２７Ｂの電磁弁を共に開き、図１の（ａ）に示すようにガス分岐通路２７Ａ、２７Ｂから燃料ガスを供給し、全燃焼管２０Ａ、２０Ｂを全一次式の燃焼モードで燃焼させる。この全一次式燃焼においては、一次空気比率は理論空気量の１．２〜１．４倍の比率に設定される。
【００２８】
また、燃焼モード切替制御手段２５は要求燃焼能力が全一次式燃焼モードの範囲を下回るときには燃焼モード切替機構を間欠燃焼モード側に切替える。具体的には、ガス分岐通路２７Ａ側の電磁弁を開いた状態にしてガス分岐通路２７Ｂ側の電磁弁を閉じ、図１の（ｂ）に示すようにガス分岐通路２７Ａのみから燃料ガスを供給し、燃焼管２０Ａの炎口２２に火炎２３を形成し、燃焼管２０Ｂからは空気のみを噴出させる。この結果、燃焼管２０Ａから噴出する空気と燃料ガスとの混合ガスは隣の燃焼管２０Ｂから噴出する空気を二次空気として利用して燃焼する。
【００２９】
この間欠燃焼モードではバーナ装置２の燃焼面は燃焼管２０Ａの燃焼による燃焼ゾーンと燃焼管２０Ｂの非燃焼ゾーンとが交互に生じる間欠燃焼となり、この燃焼は二次空気を利用して燃焼するブンゼンタイプの燃焼形態となる。本明細書で、ブンゼンタイプの燃焼形態とは、ブンゼンバーナやセミブンゼンバーナの燃焼形態を意味する。
【００３０】
この構成例では、燃焼モード切替制御手段２５による燃焼モード切替機構に対する制御動作の信号は空気比率切替手段２６に加えられており、空気比率切替手段２６は制御モードの切替信号を受け、燃焼ファン６のファン回転制御の制御データを全一次式燃焼モードと間欠燃焼モードに応じて切替える。
【００３１】
すなわち、メモリ２９には図４に示すような、全一次式燃焼モード用と間欠燃焼モード用の、燃焼量（燃焼熱量）とファン回転数（ファン風量）との関係データ（ファン回転制御データ）がそれぞれ記憶されており、空気比率切替手段２６は燃焼モード切替制御手段２５から全一次式燃焼モードへの切替信号を受けたときにファン回転制御データとして全一次式燃焼モードのファン回転制御データを選択し、燃焼モード切替制御手段２５から間欠燃焼モードへの切替信号を受けたときにファン回転制御データとして間欠燃焼モードのファン回転制御データを選択する。そして、その選択結果の信号をファン制御部２８に加える。
【００３２】
なお、この構成例では、全一次式燃焼モードのファン回転制御データは燃焼管２０Ａ、２０Ｂに取り込まれる空気比率が理論空気量の１．２〜１．４倍の一次空気比率となるように設定されており、また、間欠燃焼モードのファン回転制御データは燃焼側の燃焼管２０Ａに取り込まれる空気比率が理論空気量の０．４〜０．８倍の一次空気比率となるように設定されている。なお、この間欠燃焼モードの一次空気比率はブンゼンタイプのバーナの燃焼時における一次空気比率と同じ値である。
【００３３】
ファン制御部２８は前記空気比率切替手段２６からのファン回転制御データの選択結果の信号を受け、空気比率切替手段２６によって選択されたファン回転制御データを用いて燃焼ファン６の回転制御を行う。すなわち、ファン制御部２８は燃焼制御部により求められた要求燃焼量に応じたファン回転数を選択されたファン回転制御データに基づき目標ファン回転数として求め、ファン回転数検出センサ７で検出されるファン回転数が前記目標回転数と一致するようにファン回転数を制御する。
【００３４】
図１に示すバーナ装置２は上記のように構成され、燃焼モード切替制御手段２５によって切替えられる燃焼モードに応じて対応するファン回転制御データが選択され、選択された燃焼モードに適したファン回転制御（風量制御）が達成される。
【００３５】
図１に示すバーナ装置２の構成例によれば、低燃焼能力側の範囲を間欠燃焼モードによって燃焼し、高燃焼能力側を全一次式燃焼モードで燃焼する構成としたので、４５００kcal／ｈｒ〜４５０００kcal／ｈｒの大能力範囲を、２つのガス分岐通路２７Ａ、２７Ｂとそのガス分岐通路にそれぞれ介設される合計２つの切替弁（電磁弁）を設けることによって、良好に燃焼させることができ、前記大能力範囲を全一次式燃焼モードのみによって燃焼させる燃焼能力段切替方式の従来例に比べガス分岐通路および切替弁（電磁弁）の数を少なくでき、これに伴い、装置構成の簡易化、小型化、装置コストの低減化を図ることができる。
【００３６】
また、高燃焼能力側の範囲は全一次式燃焼モードによって燃焼させるので、低ＮＯｘ化が図れることとなり、低燃焼能力側は間欠燃焼モードで燃焼させるので、全一次式燃焼よりはＮＯｘの発生が大きいが、元々低燃焼能力側は燃焼量が小さいのでＮＯｘの発生が少なく、全一次式燃焼に対するＮＯｘの増加量は無視できる程度であるので、燃焼能力範囲を全体的に低ＮＯｘのクリーン燃焼で燃焼させることが可能である。
【００３７】
さらに、低燃焼能力側の間欠燃焼モードでの燃焼は二次空気を利用したブンゼンタイプの燃焼であるので、ＴＤＲを大きくでき、燃焼面の赤熱化や逆火の弊害現象を効果的に防止できる。しかも、間欠燃焼モードでの燃焼時には空気比率切替手段２６により、燃焼側の燃焼管２０Ａに取り込まれる空気量がブンゼンタイプ燃焼に適した空気比率となるように切替えられるので、良好な燃焼性能を発揮することが可能である。また、このように、間欠燃焼モードではブンゼンタイプの燃焼方式で燃焼するので、適正空気の制御範囲（制御幅）が広くなり、厳密な風量制御（ファン回転数制御）を要することなく安定した良好燃焼を達成可能である。
【００３８】
なお、上記の構成例では全一次式燃焼モードから間欠燃焼モードへ切替えるときに空気比率切替手段２６により、ファン回転制御データを切替えるようにしたが、この空気比率の切替えは機械的駆動により行うようにしてもよい。その場合は、例えば、図５の（ａ）に示すように燃焼管２０Ａ、２０Ｂのガス導入口２１側とガスノズル１８Ａ、１８Ｂ側との間に空気量切替板３０を燃焼管の配列方向に往復移動可能に配置する。
【００３９】
図５の（ｂ）に示すように、空気量切替板３０には長手方向に空気量調整穴３１Ａと３１Ｂが交互に等ピッチ間隔で配列形成され、この空気量調整穴３１Ａと３１Ｂは貫通スリット３５によって連通されている。空気量調整穴３１Ａは全一次式燃焼に適した一次空気比率となるように燃焼管２０Ａ、２０Ｂへの空気取り込み量を調整する穴であり、空気量調整穴３１Ｂは間欠燃焼に適した一次空気比率となるように燃焼管２０Ａへの空気取り込み量を調整する穴である。空気量調整穴３１Ａおよび空気量調整穴３１Ｂの配列ピッチは燃焼管２０およびガスノズル１８の配列ピッチと等しく、空気量調整穴３１Ａ同士の配列ピッチと空気量調整穴３１Ｂ同士の配列ピッチは互いに半ピッチずれている。つまり、隣り合う空気量調整穴３１Ａの中間位置に空気量調整穴３１Ｂが配置されている。
【００４０】
空気量切替板３０の一端側には作動アーム３２が連係されており、この作動アーム３２はギアモータあるいはロータリーソレノイド等のアクチュエータ３３によって往復方向に揺動回転されるようになっており、この作動アーム３２の揺動回転によって空気量切替板３０が往復移動する構成となっている。
【００４１】
このアクチュエータ３３の駆動制御は空気比率切替手段２６により行われ（図２参照）、空気比率切替手段２６は燃焼モード切替制御手段２５から全一次式燃焼モードへの切替え信号を受けたときにアクチュエータ３３を動作制御して各空気量調整穴３１Ａを対応する燃焼管２０Ａ、２０Ｂのガス導入口２１に対向する配置に移動する。そうすると、空気量切替板３０の下側の各ガスノズル１８Ａ、１８Ｂと空気量切替板３０の上側の各燃焼管２０Ａ、２０Ｂのガス導入口２１は対応する空気量調整穴３１Ａを挟んで対向し、各ガスノズル１８Ａ、１８Ｂから噴出する燃焼ガスと燃焼ファン６から供給される空気は空気量調整穴３１Ａを通して対応する燃焼管２０Ａ、２０Ｂに取り込まれ、全一次式燃焼に適した一次空気比率でもって全一次式燃焼が行われる。
【００４２】
この状態で、燃焼モード切替制御手段２５から間欠燃焼モードへの切替信号が出されたときには、空気比率切替手段２６はアクチュエータ３３を逆方向に空気量調整穴の半ピッチ移動分だけ回転制御する。このアクチュエータ３３の逆回転により、空気量切替板３０は前記半ピッチ分だけ復帰方向へ移動し、各ガスノズル１８Ａ、１８Ｂは対応する燃焼管２０Ａ、２０Ｂのガス導入口２１と空気量調整穴３１Ｂを挟んで対向し、各ガスノズル１８Ａから噴出する燃焼ガスと燃焼ファン６から供給される空気は空気量調整穴３１Ｂを通して対応する燃焼管２０Ａに取り込まれ、ガス噴出が停止されたガスノズル１８Ｂに対向する空気量調整穴３１Ｂには空気のみが通過して対応する燃焼管２０Ｂに二次空気用の燃焼空気として取りこまれ、間欠燃焼に適した一次空気比率でもってブンゼンタイプの間欠燃焼が行われる。
【００４３】
このように、燃焼モード切替制御手段２５の燃焼モード切替信号に応じて空気比率切替手段２６によりアクチュエータ３３の動作が制御されることで、前記構成例で説明したファン回転制御データの切替方式の場合と同様に全一次式燃焼と間欠燃焼に応じた最適一次空気比率の切替制御が可能となる。
【００４４】
この機械駆動式の一次空気比率の切替え手法はその他に、空気量切替板３０に空気量調整穴３１Ｂの配列のみを設け、間欠燃焼時にはこの空気量調整穴３１Ｂを燃焼管２０Ａ、２０Ｂとガスノズル１８Ａ、１８Ｂ間に配置するようにし、全一次式燃焼時には空気量切替板３０を燃焼管２０Ａ、２０Ｂとガスノズル１８Ａ、１８Ｂの間から退避移動させるようにしてもよいものであり、あるいは、燃焼ファン６の空気風量の出口にダンパを設け、このダンパの回動移動を制御して一次空気比率を切替制御してもよく、様々な構成形態でもって一次空気比率の切替制御機構を構築することが可能である。
【００４５】
以下に、本発明に係る実施形態例の燃焼装置において特徴的なバーナ装置の構成例を説明する。前記図１に示すバーナ装置２の構成例では、同じ燃焼面上で、全一次式燃焼と間欠燃焼を切替えたが、この実施形態例では、全一次式燃焼と間欠燃焼との切替機構を持つ複数のバーナユニットを燃焼管の配列方向に配列配置してバーナ装置を形成し、１つ以上のバーナユニットを単位として燃焼段を切替え制御する構成と成している。図６、図７はこの燃焼段切替方式のバーナ装置２をもつ燃焼装置の実施形態例を示すものである。なお、バーナ装置２以外の燃焼装置の構成部分は前記図１０に示すものと同様であるので、図示を省略してある。
【００４６】
図６、図７に示すバーナ装置２は前述した図１に示す構成のバーナユニットを２個向かい合わせに隣接配置して２段の燃焼段としたものであり、各段のバーナユニット４０、５０の構成は前述した図１のバーナユニットの構成と同一なので、その重複説明は省略する。この燃焼段切替式のバーナ装置２においては、各バーナユニット４０、５０が全一次式燃焼モードと間欠燃焼モードの燃焼モード切替機構を備えており、図６に示す如く、バーナユニット４０、５０の全ガス分岐通路２７Ａ、２７Ｂから燃料ガスを供給することにより、バーナ装置２の全燃焼面は全一次式燃焼モードで燃焼する。
【００４７】
また、図７に示す如く、バーナユニット４０、５０のガス分岐通路２７Ａのみから燃料ガスを供給することにより、バーナ装置２の全燃焼面は間欠燃焼モードで燃焼する。この実施形態例では、バーナユニット４０、５０が間欠燃焼するときには、バーナユニット４０、５０の両端は必ず燃焼ゾーンとなるように構成されており、そのため、保炎性がよい上に、バーナユニット４０、５０が共に間欠燃焼する燃焼モードではバーナユニット４０と５０の境界領域は必ず燃焼ゾーンとなり、そのため、火炎の安定性がよく、一方のバーナユニットから他方のバーナユニットへの火移りを良好に行うことが可能である。
【００４８】
この燃焼段切替式のバーナ装置２において、バーナユニット５０のガス分岐通路２７Ａ、２７Ｂを閉じ、バーナユニット４０のガス分岐通路２７Ａ，２７Ｂを開けることにより、バーナユニット４０のみの燃焼面が全一次式燃焼モードで燃焼し、バーナユニット５０のガス分岐通路２７Ａ、２７Ｂを閉じ、バーナユニット４０のガス分岐通路２７Ａを開け、２７Ｂは閉じることにより、バーナユニット４０の燃焼面のみが間欠燃焼モードで燃焼する。
【００４９】
同様に、バーナユニット４０のガス分岐通路２７Ａ、２７Ｂを閉じ、バーナユニット５０のガス分岐通路２７Ａ，２７Ｂを開けることにより、バーナユニット５０のみの燃焼面が全一次式燃焼モードで燃焼し、バーナユニット４０のガス分岐通路２７Ａ、２７Ｂを閉じ、バーナユニット５０のガス分岐通路２７Ａを開け、２７Ｂは閉じることにより、バーナユニット５０の燃焼面のみ間欠燃焼モードで燃焼する。
【００５０】
さらに、バーナユニット４０のガス分岐通路２７Ａ、２７Ｂを共に開け、バーナユニット５０側はガス分岐通路２７Ａを開け２７Ｂは閉じることにより、バーナユニット４０の全燃焼面は全一次式燃焼モードで燃焼し、バーナユニット５０の燃焼面は間欠燃焼モードで燃焼する。その逆に、バーナユニット５０のガス分岐通路２７Ａ、２７Ｂを共に開け、バーナユニット４０側はガス分岐通路２７Ａを開け２７Ｂは閉じることにより、バーナユニット５０の全燃焼面は全一次式燃焼モードで燃焼し、バーナユニット４０の燃焼面は間欠燃焼モードで燃焼する。
【００５１】
上記のように、バーナユニット４０とバーナユニット５０のガス分岐通路２７Ａ，２７Ｂの開閉の組み合わせを選択することにより、様々な燃焼モードの組み合わせで、バーナユニット４０とバーナユニット５０の燃焼面を切替え燃焼することができる。この燃焼面の切替えにおいても、全一次式燃焼モードと間欠燃焼モードでの切替に応じて、一次空気比率の切替えが行われる。
【００５２】
この場合、バーナユニット４０、５０に図５に示した空気量切替板３０を設けることにより、どのような燃焼モードの組み合わせに対しても対応可能である。これに対し、ファン回転制御データの切替え方式を採用するときには、バーナユニット４０、５０の一方が全一次式燃焼モードで、他方が間欠燃焼モードとなる燃焼形態のときは、１個の共通の燃焼ファン６を用いて全一次式燃焼に見合う一次空気比率と間欠燃焼に見合う一次空気比率を共に調整することは困難となるので、その場合は、各バーナユニット４０、５０毎に専用の燃焼ファン６を設けて、各バーナユニット４０、５０に対してファン回転制御データによる風量制御を個別に行えばよく、あるいは、燃焼ファン６は共通の１個のファンを使用し、一方のバーナユニットは空気量切替板３０を用いて間欠燃焼とし、他方のバーナユニットは全一次式燃焼モードで燃焼させればよい。
【００５３】
なお、本発明は上記実施形態例に限定されることなく様々な実施の形態を採り得る。例えば、上記図６、図７の例では、２個のバーナユニット４０、５０を燃焼管の配列方向に隣接配置したが、さらに大能力の燃焼熱量が要求される場合には、３個以上のバーナユニットを配列配置して燃焼段の切替を行うようにしてもよく、このように複数のバーナユニットが配設される場合においても、各バーナユニットの燃焼面を全て全一次式燃焼モードで燃焼させて燃焼能力段の切替を行う方式に比べ、ガス分岐通路の数とその切替弁（電磁弁）の数を少なくすることができる。
【００５４】
また、上記実施形態例では燃焼装置として給湯器を例に説明したが、この給湯器の装置構成は図１０に示したモデルのものに限定されることなく様々な変形が可能であり、本発明は、単能給湯器以外に、風呂釜、暖房機、冷房機、冷暖房機、給湯複合機等のバーナ装置を具備する様々な燃焼装置に適用されるものである。
【００５５】
【発明の効果】
本発明は、バーナ装置の燃焼面を、全一次式燃焼モードによる燃焼と、間欠燃焼モードによる燃焼とに切替燃焼可能に形成したので、与えられる燃焼能力範囲のうち、高能力側の範囲を全一次式燃焼モードで燃焼させ、低能力側の範囲を間欠燃焼モードで燃焼することが可能となる。この燃焼制御形態を採ることで、高能力側は低ＮＯｘの燃焼となり、低能力側はブンゼンタイプの燃焼形態となるので、ＴＤＲが大となり、燃焼面の赤熱や、逆火の弊害現象を防止できる。
【００５６】
ただし、ブンゼンタイプの燃焼形態は、全一次式燃焼に比べ、ＮＯｘの発生量が大きいが、ブンゼンタイプの燃焼は元々ＮＯｘの発生量が少ない低燃焼能力側で行うので、全一次式燃焼に比べてのＮＯｘの増加量は無視できる程度であり、全体的に見て、全燃焼能力範囲を低ＮＯｘ化のクリーン燃焼が可能である。
【００５７】
また、低燃焼能力側を全一次式燃焼モードで燃焼させた場合には、適正な風量の制御幅が狭く、そのため、厳密な高精度のファン回転制御が必要であったが、本発明では、低燃焼能力側を間欠燃焼モード（ブンゼンタイプの燃焼形態）で燃焼させるようにしているので、適正な風量の制御幅が広くなり、必ずしも厳密な高精度のファン回転制御を要すること無しに適正風量をバーナ装置に供給して良好な燃焼を行うことが可能である。このように、厳密な高精度のファン回転制御を必要としないので、ファン回転の制御回路の簡易化が可能であり、これに伴い、回路コストの低減化を図ることができる。
【００５８】
さらに、空気比率切替手段により、高能力側の全一次式燃焼においてはその全一次式燃焼に見合う一次空気比率となるように、また、低能力側の間欠燃焼においてはそのブンゼンタイプの燃焼に見合う一次空気比率となるように燃焼モードに応じて風量の切替えを行うようにしているので、バーナ装置の全燃焼能力範囲に亙って、安定した適正燃焼が可能となる。
【００５９】
さらに、高能力側の範囲を全一次式燃焼モードで燃焼させ、低能力側の範囲を間欠燃焼モードで燃焼させるべく燃焼モードの切替え制御を行う構成としたので、燃焼モードの切替え無しに全一次式燃焼モードのみで燃焼能力段を切替える従来例に比べ、切替弁を含む切替機構の部品点数を少なくでき、これに伴い、装置の小型化、低コスト化を達成可能である。
【００６０】
さらに、２つ以上のバーナユニットを隣り合わせに配置し、１つ以上のバーナユニットを単位として燃焼面を切替える構成としたものにあっては、全一次式燃焼モードと間欠燃焼モードとを燃焼能力に応じ選択して各バーナユニットの燃焼面を切替え可能となるので、要求燃焼能力に応じ、より適切な燃焼形態を選択して燃焼面のより緻密な切替え制御が可能となるものである。
【図面の簡単な説明】
【図１】  全一次式燃焼モードと間欠燃焼モードとの切替機構を備えたバーナユニットが１つだけ設けられているバーナ装置の一構成例を説明するための図である。
【図２】  図１に示されるバーナ装置の制御構成の一例を説明するためのブロック図である。
【図３】  図１に示されるバーナ装置における全一次式燃焼モードと間欠燃焼モードとの切替え能力区分のデータを示す図である。
【図４】  図１に示されるバーナ装置における全一次式燃焼モードと間欠燃焼モードのファン回転制御データを示グラフである。
【図５】  全一次式燃焼モードと間欠燃焼モードの一次空気比率切替え手段の他の形態例の説明図である。
【図６】  ２個のバーナユニットを隣接配置した燃焼面切替式のバーナ装置の実施形態例を全面が全一次式燃焼モードで燃焼している状態で示す説明図である。
【図７】  ２個のバーナユニットを隣接配置した燃焼面切替式のバーナ装置の実施形態例を全面が間欠燃焼モードで燃焼している状態で示す説明図である。
【図８】  従来の燃焼段切替形式のバーナ装置の構成説明図である。
【図９】  図８の燃焼段切替形式のバーナ装置に与えられる燃焼面切替えの能力区分を示すグラフである。
【図１０】  燃焼装置として代表的な給湯器の模式構成の説明図である。
【符号の説明】
２  バーナ装置
１８（１８Ａ、１８Ｂ）  ガスノズル
２０（２０Ａ、２０Ｂ）  燃焼管
２５  燃焼モード切替制御手段
２６  空気比率切替手段
２７（２７Ａ、２７Ｂ）  ガス分岐通路
２８  ファン制御部
３０  空気量切替板
４０、５０  バーナユニット
【図１】
0004073109.tif 000002
【図２】
0004073109.tif 000003
【図３】
0004073109.tif 000004
【図４】
0004073109.tif 000005
【図５】
0004073109.tif 000006
【図６】
0004073109.tif 000007
【図７】
0004073109.tif 000008
【図８】
0004073109.tif 000009
【図９】
0004073109.tif 000010
【図１０】
0004073109.tif 000011